(57)【要約】【課題】取り付けおよび取り外しが容易な手すり固定具を、提供する。【解決手段】本考案の手すり固定具１は、手すりを受ける受け部２と、受け部２を支持する支持部材３と、支持部材３の一端に設けられ、壁１０に装着された取り付け部材６と嵌合される嵌合部４と、取り付け部材６と嵌合部４との嵌合を固定する、固定部材５と、を備え、取り付け部材６および嵌合部４のそれぞれは、相互に連通する凹部４１、６１を有しており、固定部材５は、凹部４１、６１に挿入される凸部５１を有する。【選択図】図１
0003175974.tif 000002
【実用新案登録請求の範囲】
【請求項１】
手すりを受ける受け部と、
前記受け部を支持する支持部材と、
前記支持部材の一端に設けられ、壁に装着された取り付け部材と嵌合される嵌合部と、
前記取り付け部材と前記嵌合部との嵌合を固定する、固定部材と、を備え、
前記取り付け部材および前記嵌合部のそれぞれは、相互に連通する凹部を有しており、前記固定部材は、前記凹部に挿入される凸部を有する、手すり固定具。
【請求項２】
前記固定部材は、連通する前記凹部に挿入されてから回転されて、前記取り付け部材と前記嵌合部との嵌合を固定する、請求項１記載の手すり固定具。
【請求項３】
前記取り付け部材、前記嵌合部および前記固定部材のそれぞれは、略円形もしくは略楕円形を有する、請求項１又は２記載の手すり固定具。
【請求項４】
前記取り付け部材は、前記凹部の裏側に前記固定部材の前記凸部が移動可能な通路を有する、請求項１から３のいずれか記載の手すり固定具。
【請求項５】
前記固定部材が回転することで、前記凸部が前記通路を移動し、前記凸部が前記固定部材と前記取り付け部材とを固定する、請求項４記載の手すり固定具。
【請求項６】
前記取り付け部材は、装着面から突出する本体部を備え、該本体部は、その側面の一部に前記凹部を有すると共に前記通路を有し、
前記嵌合部は、前記本体部を収容可能な内部空間を有すると共に前記取り付け部材の凹部に連通する前記凹部を有し、
前記固定部材は、前記嵌合部の外周を覆う、請求項４又は５記載の手すり固定具。
【請求項７】
前記取り付け部材は、壁面に設けられた凹みであって前記本体部よりも大きな凹みに装着され、前記本体部の周囲の残部に、前記固定部材が挿入される、請求項６記載の手すり固定具。
【請求項８】
前記支持部材は、前記受け部を床面に平行にできるように、壁面に対して屈曲している、請求項１から７のいずれか記載の手すり固定具。
【請求項９】
前記固定部材が外されると、前記嵌合部は前記取り付け部材から取り外される、請求項１から８のいずれか記載の手すり固定具。
【請求項１０】
前記支持部材および前記受け部は、壁面の色味と異なる色味を有する、請求項１から９のいずれか記載の手すり固定具。
【考案の詳細な説明】
【技術分野】
【０００１】
本考案は、住居、ビル、商業施設などの室内において、歩行を補助する手すりを、壁に固定する手すり固定具に関する。
【背景技術】
【０００２】
最先端の施設や住居は、歩行に障害を有している人や高齢者などの室内の歩行を補助するために、手すりを備えている。これらの手すりは、室内や廊下に設けられ、室内や廊下を歩行する際に、補助を必要とする歩行者の歩行を楽にする。
【０００３】
一方、多くの住居、ビル、商業施設は、未だに手すりを備えていないことが多い。実際には、歩行を補助する手すりを備えている住居、ビル、商業施設の方が、備えていないこれらよりも少ないと考えられる。
【０００４】
高齢になるにつれて歩行に障害や困難を来たしている高齢者にとっては、手すりのない室内や廊下を歩くのは非常に不便を感じることが多い。これらの高齢者は、壁に手を当てながら室内や廊下を歩くこともある。しかし、壁伝いに歩くことは、時として重大な危険を生じさせることもある。例えば、壁伝いに歩いている最中に転倒し、高齢者が、怪我をしてしまうこともある。
【０００５】
あるいは、家族や介護者の助けを借りて室内や廊下を歩くこともある。しかしながら、独居老人や老々介護の進展などで、家族や介護者の助けが得られないことも多い。この場合でも、壁伝いに歩くこととなって、歩いている最中に転倒するなどの危険性がある。また、これらの問題は、高齢者だけでなく、病気や怪我による歩行困難者にとっても同様である。
【０００６】
一方、高齢者や歩行困難者が、補助がないことによる危険性を避けるために、室内や廊下の移動において、車椅子を頼りたくなることもある。車椅子を用いれば、転倒の危険性もなく安心だからである。
【０００７】
しかしながら、歩行に困難を有しているとはいえ、高齢者や歩行困難者がこのように車椅子に頼るようになると、足腰の衰えや歩行障害を加速させることになってしまう。近年、我が国を初め先進各国では高齢化の加速が問題となっており、高齢化の加速によって生じる社会的コストが問題となっている。安易に車椅子に頼ることで加速される足腰の衰えや歩行障害は、要介護者（特に重度の介護）の増加を招くことになり、この社会的コストへの影響が懸念される。当然に、高齢者や歩行困難者にとっても、要介護者となることは、自立した人生において好ましいことではない。
【０００８】
このため、車椅子にすぐに頼ろうとせず、危険性の少ない歩行の補助が求められている。このため、廊下や室内に手すりを設置する技術が提案されている（例えば、特許文献１、特許文献２、特許文献３、特許文献４参照）。
【先行技術文献】
【特許文献】
【０００９】
【特許文献１】特開２００１−２１４５８９号公報
【特許文献２】特開２００３−３２８５２１号公報
【特許文献３】特開２００４−２６３４０９号公報
【特許文献４】実開平７−１１４９号公報
【考案の概要】
【考案が解決しようとする課題】
【００１０】
実用新案登録文献１は、手すり取付具の構造が２重構造で、その取付具の外部側部品並びに内部側部品の形状が略楕円管柱、略円管柱または略方形管柱で、材質が金属、樹脂または木材である部品において、内臓される内部側部品管の長さが外部側部品管の長さより０．１ｍｍ〜５ｍｍ長くし、ネジ又は釘により壁と手すり部の間に締付けられる事により内部側部品管が壁と手すり部に食込みにより接合強度増加を可能にする事を特徴とする手すり、を開示する。実用新案登録文献１は、壁に手すりを取り付ける際に、取り付け強度を強化する技術を開示する。
【００１１】
しかしながら、実用新案登録文献１の手すりは、住居やビルなどを建築する際に設置されることが好ましい。建築後である場合には、壁の改良工事も必要として、手すりを取り付けるのに非常に手間とコストが掛かる問題を有している。加えて、接合強度が高く手すりが取り付けられるので、取り付けた手すりを外すことも困難であったり手間が掛かったりする。独居老人などが増加している状況では、取り付けや取り外しに手間やコストが掛かることは好ましくない。
【００１２】
住居などでは、歩行に困難性を感じ始めた高齢者等は、当所は手すりの助けを借りながら歩く。しかし身体の衰えが進むと、手すりでは不十分となり、車椅子の助けを借りる必要が生じる。ここで、一般的な住居では廊下の幅が狭く（特に、ユニバーサルデザインや介護意識のある住居以外では）、壁に取り付けられた手すりが廊下の幅を更に狭くして、車椅子の通行を困難としてしまう問題もある。このような場合に、手すりの取り外しに手間やコストが掛かることは好ましくない。
【００１３】
実用新案登録文献２は、手すりＢの端部を保持するための受体１と、ビスなどの定着手段Ｅで廊下や階段の壁に取り付けるための取付座2bを有するブラケット本体２とで構成する。受体１をブラケット本体２に対して所定角度首を振った状態で一体的ならしめる。受体１をブラケット本体２に対して回動自在に嵌合させる。ブラケット本体２への受体１の取付位置を定めるための凹凸嵌合手段を、受体１とブラケット本体２とに形成する手すり取り付け用部材を開示する。実用新案登録文献２は、手すりを取り付けやすくする技術を開示する。
【００１４】
しかしながら、実用新案登録文献２も実用新案登録文献１と同様に、取り付けや取り外しに手間やコストが掛かる問題を有している。取り付けや取り外しに手間やコストが掛かれば、手すりを必要とするタイミング、手すりから車椅子に変わるタイミングのそれぞれにおいて、フレキシブルに対応できない。
【００１５】
実用新案登録文献３は、廊下、階段などの通路及びトイレ内の壁に沿って設けられる手すりにおいて、手すり本体が、上面に略水平な面を備えるとともに、通路側と壁側で鉛直方向の厚みを異にし、壁側の厚みを小さく、通路側の厚みを大きく設定し、壁側の側面に指掛部を備えたことを特徴とする手すりを開示する。実用新案登録文献３は、使用者が把持しやすい手すりを開示する。
【００１６】
しかしながら、実用新案登録文献３も、実用新案登録文献１、２と同じ問題を有している。
【００１７】
実用新案登録文献４は、手すり１の本体水平部１ａ基端の下面から内部にかけて切り抜き溝２を設け、階段や廊下などの壁面Ｗに固定した嵌合体４を切り抜き溝２に嵌め込み、本体水平部基端の両側面から嵌合体にネジ３を捩じ込み、両者を固定するようにしている。そして、切り抜き溝は、本体水平部基端の下面中央から内部にかけて末広がりの四角形状とし、嵌合体は、切り抜き溝と同形状とすると共に、中央部に設けた通し穴５から壁面Ｗにネジを捩じ込んだものとする手すりの固定具を開示する。実用新案登録文献４は、外観をすっきりさせる固定具を開示する。
【００１８】
しかしながら、実用新案登録文献４も、実用新案登録文献１〜３と同様の問題を有している。
【００１９】
実用新案登録文献１〜４に表される従来技術は、次のような問題を有している。
（問題１）手すりの取り付けの手間やコストが大きい。
（問題２）手すりの取り外しの手間やコストが大きい。
（問題３）問題２に基づいて、狭い廊下で車椅子通行に変更するタイミングで、車椅子走行の邪魔となる手すりを、簡単に取り外しできない。
（問題４）問題１〜３のいずれも、独居老人や高齢者世帯では、特に問題である。
【００２０】
特に、手すりを頼る高齢者や歩行困難者は、将来的には車椅子となりえる前提では、問題２〜４は、非常に好ましくない。
【００２１】
このように、要介護者となることを遅延させるための手すりの取り付けの容易性、歩行困難が進行して車椅子に切り替わる際の手すりの取り外しの容易性が、介護等を考慮していない建築済みの住居やビルなどにおいては、求められている。
【００２２】
本考案は、これらの問題を解決し、取り付けおよび取り外しが容易な手すり固定具を、提供することを目的とする。
【課題を解決するための手段】
【００２３】
上記課題に鑑み、本考案の手すり固定具は、手すりを受ける受け部と、受け部を支持する支持部材と、支持部材の一端に設けられ、壁に装着された取り付け部材と嵌合される嵌合部と、取り付け部材と嵌合部との嵌合を固定する、固定部材と、を備え、取り付け部材および嵌合部のそれぞれは、相互に連通する凹部を有しており、固定部材は、凹部に挿入される凸部を有する。
【考案の効果】
【００２４】
本考案の手すり固定具は、取り付けおよび取り外しが容易である。特に、固定具を壁等に備えておくだけで、手すりが必要になってから手すりを取り付けることができる。また、車椅子走行などになって手すりが不要となると共に手すりが邪魔となる場合には、手すりを容易に取り外すことができる。加えて、固定具において壁から突出する部分も容易に取り外すことができるので、車椅子走行の邪魔となることも無い。
【００２５】
また、手すりの取り付けや取り外しは、大掛かりな工事を必要としないので、高齢者などの住人だけでも可能であり、住人自らが自分の必要に合わせて、手すり（固定具も含めて）の取り付けや取り外しを行える。
【００２６】
このように、住人の自らの意思によって、手すりの取り付けや取り外しが可能であることで、早期に要介護者となることも防止でき、社会的コスト低減も図られる。
【図面の簡単な説明】
【００２７】
【図１】本考案の実施の形態における手すり固定具の斜視図である。
【図２】本考案の実施の形態における手すり固定具の斜視図である。
【図３】本考案の実施の形態における手すり固定具の斜視図である。
【図４】本考案の実施の形態における手すり固定具の斜視図である。
【図５】本考案の実施の形態における手すり固定具の背面図である。
【図６】本考案の実施の形態における手すり固定具の正面図である。
【考案を実施するための形態】
【００２８】
本考案の第１の考案に係る手すり固定具は、手すりを受ける受け部と、受け部を支持する支持部材と、支持部材の一端に設けられ、壁に装着された取り付け部材と嵌合される嵌合部と、取り付け部材と嵌合部との嵌合を固定する、固定部材と、を備え、取り付け部材および嵌合部のそれぞれは、相互に連通する凹部を有しており、固定部材は、凹部に挿入される凸部を有する。
【００２９】
この構成により、手すり固定具は、事後的に簡単に取り付け可能である。
【００３０】
本考案の第２の考案に係る手すり固定具では、第１の考案に加えて、固定部材は、連通する凹部に挿入されてから回転されて、取り付け部材と嵌合部との嵌合を固定する。
【００３１】
この構成により、手すり固定具は、確実に壁に取り付けられる。
【００３２】
本考案の第３の考案に係る手すり固定具では、第１又は第２の考案に加えて、取り付け部材、嵌合部および固定部材のそれぞれは、略円形もしくは略楕円形を有する。
【００３３】
この構成により、固定部材は、嵌合部および取り付け部材の周囲を回転しやすくなる。
【００３４】
本考案の第４の考案に係る手すり固定具では、第１から第３のいずれかの考案に加えて、取り付け部材は、凹部の裏側に固定部材の凸部が移動可能な通路を有する。
【００３５】
この構成により、固定部材は、備える凸部を取り付け部材に固定させることができる。この結果、固定部材は、嵌合部と取り付け部材との嵌合を固定できる。
【００３６】
本考案の第５の考案に係る手すり固定具では、第４の考案に加えて、固定部材が回転することで、凸部が通路を移動し、凸部が固定部材と取り付け部材とを固定する。
【００３７】
この構成により、固定部材は、確実かつ容易に取り付け部材にその凸部を固定させる。
【００３８】
本考案の第６の考案に係る手すり固定具では、第４又は第５の考案に加えて、取り付け部材は、装着面から突出する本体部を備え、該本体部は、その側面の一部に凹部を有すると共に通路を有し、嵌合部は、本体部を収容可能な内部空間を有すると共に取り付け部材の凹部に連通する凹部を有し、固定部材は、嵌合部の外周を覆う。
【００３９】
この構成により、取り付け部材は、壁に確実に取り付けられる。
【００４０】
本考案の第７の考案に係る手すり固定具では、第６の考案に加えて、取り付け部材は、壁面に設けられた凹みであって本体部よりも大きな凹みに装着され、本体部の周囲の残部に、固定部材が挿入される。
【００４１】
この構成により、固定部材が、壁の凹みに挿入されて、手すり固定具が壁に埋め込まれるように取り付けられる。
【００４２】
本考案の第８の考案に係る手すり固定具では、第１から第７のいずれかの考案に加えて、支持部材は、受け部を床面に平行にできるように、壁面に対して屈曲している。
【００４３】
この構成により、手すり固定具は、床面に平行に手すりを載せることができる。
【００４４】
本考案の第９の考案に係る手すり固定具では、第１から第８の考案に加えて、固定部材が外されると、嵌合部は取り付け部材から取り外される。
【００４５】
この構成により、手すり固定具は、簡単に壁から取り外せる。
【００４６】
本考案の第１０の考案に係る手すり固定具では、第１から第９のいずれかの考案に加えて、支持部材および受け部は、壁面の色味と異なる色味を有する。
【００４７】
この構成により、使用者は、手すり固定具を容易に視認できる。
【００４８】
以下、図面を参照しながら、本考案の実施の形態を説明する。
【００４９】
（実施の形態）
【００５０】
（全体概要）
まず。手すり固定具の全体概要を説明する。図１は、本考案の実施の形態における手すり固定具の斜視図である。図１は、壁１０に装着されようとする手すり固定具１を示している。壁１０には、凹み１１が設けられている。例えば、壁１０の壁面から穿たれることで、凹み１１が形成される。あるいは、壁１０が最初から凹み１１を有していてもよい。
【００５１】
この凹み１１に取り付け部材６が、予め装着される。手すり固定具１は、この取り付け部材６に嵌合して取り付けられる。この結果、手すり固定具１が、壁１０に装着されるようになる。壁１０に装着されることで、手すり固定具１は、手すりを取り付けることができる。なお、凹み１１の直径は、取り付け部材６の直径よりも大きいので、取り付け部材６が取り付けられた凹み１１には、挿入部１２が残る。
【００５２】
手すり固定具１は、受け部２、支持部材３、嵌合部４および固定部材５を備える。
【００５３】
受け部２は、手すり（図示せず）を受ける。支持部材３は、受け部２に繋がっており、受け部２を支持する。すなわち、支持部材３は、受け部２を壁１０と接続する役割を果たす。嵌合部４は、壁１０の凹み１１に装着された取り付け部材６と嵌合する。また、嵌合部４は、支持部材３の一端に設けられる。このため、支持部材３の一端には嵌合部４が設けられ、支持部材３の他方の端部には受け部２が設けられる。
【００５４】
固定部材５は、取り付け部材６と嵌合部４との嵌合を固定する。固定部材５は、嵌合部４の外周に対応して凹み１１に挿入され、取り付け部材６と組み合わさることで、嵌合部４と取り付け部材６との嵌合を固定する。ここで、取り付け部材６は、凹部６１を有している。嵌合部４も、凹部４１を有している。この凹部６１と凹部４１は、相互に連通する。加えて、固定部材５は、この連通する凹部４１と凹部６１とに挿入される凸部５１を有している。
【００５５】
まず、嵌合部４が挿入部１２に挿入される。嵌合部４が挿入部１２に挿入されることで、取り付け部材６の外周を嵌合部４が覆うようになる。このとき、嵌合部４の凹部４１と取り付け部材６の凹部６１とが連通する。次いで、嵌合部４の外周を覆うように、挿入部１２（嵌合部４が挿入された後であまっている挿入部１２の領域）に、固定部材５が挿入される。このとき、固定部材５の凸部５１は、連通している凹部４１、６１に挿入される。固定部材５の凸部５１が凹部４１、６１に挿入された後で、固定部材５は、回転される。この回転により、凸部５１は、凹部４１、６１と連通しなくなり、凸部５１が引っ掛かりとなって固定部材５が固定される。固定部材５は、嵌合部４の外側から挿入されるので、固定部材５が固定されることで、嵌合部４も固定される。これらの固定の結果、手すり固定具１は、壁１１に固定して装着される。
【００５６】
固定部材５は、その凸部５１が連通する凹部４１、６１に挿入された後で回転される。この回転において、取り付け部材６の裏面に設けられた通路に、凸部５１が入り込んで、凸部５１は、取り付け部材６に引っ掛かる。この結果、固定部材５は、手すり固定具１を固定する。逆に言えば、固定部材５を逆回転させることで、凸部５１を連通する凹部４１、６１から取り外すことができる。凸部５１が凹部４１、６１から取り外されれば、    固定部材５は、挿入部１２から取り外される。この結果、嵌合部４と取り付け部材６とが切離されて、手すり固定具１は、壁１０から取り外される。
【００５７】
手すり固定具１が壁１０に装着されると、受け部２は、床面に対して平行な状態となる。手すりは、受け部２に載せられて固定されることで、廊下や室内に手すりが設置される。もちろん、手すり固定具１が壁１０から取り外されると、手すりが取り外されて壁１０からの突出物も無くなる。
【００５８】
このように、手すり固定具１は、事後的に手すりを取り付けることを可能とする。例えば、既に建築済みの住宅やビルなどにおいて、住人が高齢化したり足腰が衰えたりした場合でも、壁１０に凹み１１を形成するだけで、事後的に手すり固定具１が装着できる。壁１０に一定間隔で複数の手すり固定具１が装着されば、受け部２に手すりが固定されることで、手すりが取り付けられる。高齢化したり足腰が衰えたりした人は、この手すりを活用して移動を行う。手すり固定具１は、簡単に取り付けできるので、手すりを必要とする人が自ら容易に取り付けて手すりを装着できる。
【００５９】
当然ながら、固定部材５を挿入部１２から取り外すだけで、手すり固定具１は、壁１０から取り外すことができる。例えば、高齢化や足腰の衰えが更に進み、車椅子生活になってしまうと、狭い廊下や室内では、壁１０に装着された手すり固定具１は、邪魔となる。手すり固定具１は、事後的に容易に取り外すことができるので、車椅子生活となって壁１０からの突出物を排除したい場合にも、手すり固定具１は、対応が可能である。
【００６０】
手すり固定具１は、このように事後的な手すりの必要性にも不必要性にもフレキシブルに対応できる。この結果、高齢者や足腰の弱った人であっても、一定期間は手すりによる介助のみで歩行するので、要介護者に陥るのを低減することも可能である。
【００６１】
（手すり固定具の取り付け）
次に、手すり固定具の取り付けの詳細について説明する。
【００６２】
図２は、本考案の実施の形態における手すり固定具の斜視図である。図２は、手すり固定具１の支持部材３に固定部材５が通されて嵌合部４に近づいた状態を示している。
【００６３】
手すり固定具１は、支持部材３およびこれの一端に設けられる受け部２と他端に設けられる嵌合部４が、一体で形成されている。一方、固定部材５は、支持部材３などとは一体ではなく、別体である。固定部材５は、支持部材３などに対して自由に動くことができ、支持部材３を通って嵌合部４（更には取り付け部材６）に到達してこれらと組み合わされる。すなわち、壁１０に固定された取り付け部材６に対して、一体である支持部材３、受け部２および嵌合部４が、別体である固定部材５によって組み合わされる。この結果、手すり固定具１が壁１０に固定される。
【００６４】
支持部材３の一端は、嵌合部４を備える。固定部材５は、支持部材３を通って嵌合部４に近づく。嵌合部４は、凹部４１を備えており、凹部４１に挿入されるように、固定部材５の凸部５１が対向する。
【００６５】
また、嵌合部４および固定部材５は、略円形の外周を有している。嵌合部４の外周直径は、固定部材５の外周直径よりも小さい。固定部材５は、嵌合部４を内包するように嵌合部４を覆う。この内包の際に、凸部５１が凹部４１に挿入される。このため、図２に示されるように、受け部２側から固定部材５が支持部材３を通って嵌合部４に近づく。
【００６６】
図３は、本考案の実施の形態における手すり固定具の斜視図である。図３は、図２に比較して、固定部材５がより嵌合部４（更には取り付け部材６）に近づいた状態を示している。より近づくことで、凸部５１が凹部４１に挿入されている。凸部５１が凹部４１に挿入されることで、固定部材５は、嵌合部４と組み合わされる。特に、図３より明らかな通り、固定部材５は、その内部空間に嵌合部４を内包するようになる。内包した上で、固定部材５は、挿入部１２に挿入されつつ取り付け部材６と組み合わされる。
【００６７】
固定部材５が嵌合部４との組み合わせが更に進むと、図４のように、固定部材５は、完全に嵌合部４を内包しつつ組み合わされる。図４は、本考案の実施の形態における手すり固定具の斜視図である。図３に比較して、固定部材５が完全に嵌合部４に到達した状態を示している。固定部材５の凸部５１が嵌合部４の凹部４１に挿入されて、固定部材５は、嵌合部４を完全に内包している。このため、図４では、嵌合部４が外部から視認できない状態である。
【００６８】
図４の状態まで到達すると、手すり固定具１は、図１に示されるように、挿入部１２に挿入されて、取り付け部材６と組み合わされる。このとき、嵌合部４の凹部４１が取り付け部材６の凹部６１と連通するように、嵌合部４が挿入される。嵌合部４の凹部４１には、固定部材５の凸部５１が挿入されているので、凸部５１は、連通する取り付け部材６の凹部６１にも挿入される。
【００６９】
取り付け部材６は、凹部６１の裏側に、凸部５１が回転して入り込む通路を有している。固定部材５は、挿入部１２に挿入された後で回転されて、凸部５１が通路に差し込まれる。この結果、図１に示されるように、固定部材５は、取り付け部材６と嵌合部４とを固定する。この固定によって、手すり固定具１が壁１０に取り付けられる。このとき、取り付け部材６の直径よりも嵌合部４の内部空間の直径が大きく、嵌合部４の外周直径よりも、固定部材５の内部空間の直径が大きい。すなわち、取り付け部材６は、嵌合部４の内部空間に内包され、嵌合部４は、固定部材５の内部空間に内包される。内包の繰り返しと凹部４１、６１に対する凸部５１の挿入によって、手すり固定具１は、取り付け部材６に固定される。
【００７０】
なお、図２〜図４では、まず嵌合部４に固定部材５が取り付けられてから、取り付け部材６に手すり固定具１が装着される手順を説明したが、嵌合部４が取り付け部材６と嵌合されてから固定部材５によって固定される手順で取り付けられても良い。
【００７１】
以上のように、手すり固定具１は、壁１０に装着される。
【００７２】
次に各部の詳細について説明する。
【００７３】
（受け部）
受け部２は、手すりを受ける。このため、図１などでは、受け部２は円柱状の手すりを受けることを想定して、受け部２は、円弧状を有している。円弧状の受け部２は、円柱状の手すりを受けやすくなる。もちろん、手すりが角柱であれば受け部２は、この角柱にあわせた曲面を有すればよい。もちろん、受け部２は、平面状であってもよい。
【００７４】
受け部２は、支持部材３の先端に設けられる。このとき、受け部２は、床面に平行となることで、手すりを確実に受けることができる。また、図１などでは、受け部２は、手すりの一部のみを受ける形状を有しているが、受け部２に手すりが載せられてから、とめ具などで手すりが受け部２に固定されれば良い。
【００７５】
例えば、受け部２の形成する円弧の残りの部分に対応する円弧状の部材が、手すりが受け部２に載せられた後で手すりを覆うようにして受け部２に繋がる。更に、この円弧状の部材が、受け部２と接続されて固定されることで、手すりが受け部２に固定されるようになる。
【００７６】
受け部２は、金属、合金、木材、竹材、樹脂、人工素材などの種々の素材で形成されれば良い。また、受け部２は、支持部材３と一体であるので、支持部材と同じ素材であることでも良い。
【００７７】
なお、手すりを受ける強度や耐久性の点から、受け部２は、支持部材３と一体であることが好ましいが、手すりの大きさや種類の変更に容易に対応できるように、支持部材３に対して取り外し可能であることも好適である。
【００７８】
（支持部材）
支持部材３は、受け部２を支持する。加えて、壁１０に対応する端部においては、取り付け部材６と嵌合する嵌合部４を備える。すなわち、支持部材３は、手すり固定具１の全体的な外形を形成する。
【００７９】
支持部材３は、壁１０から延伸して、床面に平行となる受け部２を形成する必要があるので、屈曲部３１を有していることが好適である。図１などの支持部材３は、その途中で屈曲する屈曲部３１を有している。屈曲部３１は、壁１０から突出する支持部材３を、上方に屈曲させて、先端に設けられる受け部２を、床面に平行にできる。なお、受け部２は、図１などに示されるとおり、円弧状を有しているので、円弧状の接線が床面と略平行であればよい。
【００８０】
通常、手すり固定具１が装着される壁１０は、床面に対して垂直であり、手すりを床面に対して略平行に取り付けるには、支持部材３は、壁１０から突出し、屈曲部３１によって上方に向けて屈曲することが適当である。しかしながら、要は床面に略平行に手すりが取り付けられれば良いので、支持部材３が屈曲することなく、支持部材３の先端に設けられた受け部２が上向きとなることでもよい。この場合にも、手すりは、床面に略平行に取り付けられるからである。
【００８１】
もちろん、手すりの取り付け方法によっては、受け部２が床面に略平行でなくてもよい。
【００８２】
支持部材３は、金属、合金、木材、竹材、樹脂、人工素材などの種々の素材で形成されれば良い。但し、支持部材３は、手すりを支えつつ、手すりに負荷のかかる人の荷重にも耐える必要がある。このため、強度や耐久性の高い素材あるいは構造を有することが必要である。また、使用耐久性を高めるために、防錆や抗菌処理がなされていることも好適である。
【００８３】
（嵌合部）
嵌合部４は、支持部材３の一方の端部に設けられ、取り付け部材６と嵌合する。すなわち、嵌合部４が壁１０に装着された取り付け部材６と嵌め合わされることで、手すり固定具１が壁１０に取り付けられる。
【００８４】
嵌合部４は、支持部材３の端部に設けられ、取り付け部材６を内包できる内部空間を有している。この内部空間に取り付け部材６が内包されることで、嵌合部４と取り付け部材６とが、嵌合する。
【００８５】
図５は、本考案の実施の形態における手すり固定具の背面図である。図５は、受け部２と逆側から手すり固定具１をみた状態を示している。この結果、嵌合部４の内部空間４２が見えている。内部空間４２は、嵌合部４の壁側に存在する。内部空間４２を形成するように、嵌合部４は、外周に壁を有している。この壁によって、内部空間４２が形成される。手すり固定具１が取り付け部材６に近接されることで、この内部空間４２が取り付け部材６を内包できるようになる。
【００８６】
このため、内部空間４２の直径は、取り付け部材６の直径（特に、後述する取り付け部材の本体部の直径）と同等か大きいことが好ましい。
【００８７】
また、この内部空間４２の外周となる壁の一部が欠落しており、この欠落が凹部４１を形成する。凹部４１は、一つでも良く、複数でも良い。但し、凹部４１に凸部５１が挿入されて、嵌合部４が取り付け部材６に固定されるので、強度を上げるために凹部４１は複数であることが好ましい。図５では、２つの凹部４１が備わっている。凹部４１に挿入された凸部５１は、凹部４１と連通する凹部６１にも到達して、凹部４１と凹部６１とを接続する。
【００８８】
嵌合部４は、強度確保の点から、支持部材３と一体であることが好ましい。もちろん、別体で形成された後で、接続されたり接合されたりしてもよい。また、支持部材３と同様に、嵌合部４は、金属、合金、木材、竹材、樹脂、人工素材などの種々の素材で形成されれば良い。
【００８９】
また、嵌合部４の外周には、固定部材５が取り付けられる。嵌合部４は、嵌合部４の壁の外側を覆う内部空間を有している。嵌合部４は、この壁の外側に内部空間を嵌合させて、嵌合部４と繋がる。嵌合部４がその内部空間に嵌合部４を挿入させる過程で、凸部５１が凹部４１に挿入される。図５と対になる正面図を、図６に示す。図６は、本考案の実施の形態における手すり固定具の正面図である。図６は、固定部材５が嵌合部４と組み合わされた後の、手すり固定具１を正面から見た状態を示している。
【００９０】
固定部材５が、嵌合部４の外周を覆っている状態がわかる。このように嵌合部４に取り付けられた固定部材５が、その凸部５１を取り付け部材６の凹部６１に挿入されて、嵌合部４と取り付け部材６との嵌合を固定する。
【００９１】
（取り付け部材）
取り付け部材６は、壁１０に設けられた凹み１１に装着される。凹み１１は、取り付け部材６の装着のために設けられる。
【００９２】
取り付け部材６は、図１に示されるとおり、凹み１１の表面である装着面から突出する本体部６２を備える。本体部６２の直径は、凹み１１の直径よりも小さい。この結果、本体部６２の周囲には、凹み１１の余地が生じ、この余地は嵌合部４および固定部材５が挿入される挿入部１２となる。
【００９３】
本体部６２は、嵌合部４の内部空間４２に内包される。このため、本体部６２の直径は、内部空間４２の直径以下である。嵌合部４は、内部空間４２に本体部６２を内包することで、取り付け部材６と嵌合する。
【００９４】
また、本体部６２は、側面に凹部６１を有している。この凹部６１は、嵌合部４と取り付け部材６と嵌合する際に、凸部５１が挿入される。加えて、本体部６２は、装着面側に通路６３を有している。凹部６１に挿入された凸部５１は、通路６３に到達する。通路６３は、本体部６２の外周に沿っており、凸部５１は、この通路６３に沿って移動する（固定部材５の回転に伴って）。この移動によって、凸部５１は、凹部４１、６１との連通からはずれて、本体部６２に覆われる。この結果、凸部５１は、取り付け部材６と固定される。凸部５１が固定されれば、嵌合部４と取り付け部材６との嵌合も固定される。
【００９５】
以上のように、本体部６２を嵌合部４の内部空間４２が内包し、次いで嵌合部４を固定部材５の内部空間が内包することで、嵌合部４と取り付け部材６とが嵌合されて固定される。
【００９６】
このとき、凹み１１の本体部６２の残部である挿入部１２に固定部材５も嵌るので、凹み１１は、表面からは隠されるようになる。また、必要に応じて、固定部材５が挿入部１２を隠す羽根を有していることも好適である。
【００９７】
これらの嵌合が容易となるように、取り付け部材６（特に本体部６２）、嵌合部４および固定部材５のそれぞれは、略円形もしくは略楕円形であることが好ましい。略円形や略楕円形であることで、相互に内包されやすい上、固定部材５が回転されやすくなるからである。固定部材５が回転されて、通路６３を凸部５１が移動することで、嵌合部４と取り付け部材６との嵌合が固定される。この回転のためにも、これらの部材は略円形もしくは略楕円形であることが好ましい。
【００９８】
なお、取り付け部材６は、凹み１１に装着されるが、接着、ねじ止め、溶接など、種々の手段で装着されれば良い。
【００９９】
また、挿入部１２には、嵌合部４と組み合わされた固定部材５が挿入されるので、挿入部１２に座金が設置されることも好適である。座金によって、嵌合時の固着力が上がり、緩みにくくもなるメリットがある。
【０１００】
また、取り付け部材６は、他の部材と同様に、金属、合金、木材、竹材、樹脂、人工素材などの種々の素材で形成されれば良い。これらの素材で形成されることで、壁１０への装着が容易となりつつ、強度を維持できるからである。
【０１０１】
なお、取り付け部材６に嵌合部４が嵌合された上で、固定部材５で固定されるので、固定部材５が外されると、嵌合部４が取り付け部材６から取り外される。嵌合部４が取り付け部材６から取り外されると、手すり固定具１は、壁１０から取り外される。
【０１０２】
（その他）
手すり固定具１は、壁１０に取り付けられる。なお、壁１０は、広い概念であり、特定の要素に限定されるものではない。ここで、支持部材３や受け部２は、壁１０の色味と異なる色味を有することも好適である。あるいは、支持部材３や受け部２は、壁１０の輝度と異なる輝度を有することも好適である。これらのように、壁１０の色味や輝度と異なることで、手すり固定具１は、壁１０に取り付けた後でも視認が容易となる。
【０１０３】
高齢者や歩行に障害を有する人は、視認能力等も衰えていることがあり、手すり固定具１や手すりが確実に視認されることが重要だからである。また、手すり固定具１のみが装着され、手すりが設置されてない場合には、手すり固定具１を容易に視認できることで、危険性も減少させることができる。
【０１０４】
このように手すり固定具１の色味や輝度が、壁１０の色味や輝度と異なることは、使用者の使い勝手や安全面で有効である。
【０１０５】
以上のように、実施の形態における手すり固定具１は、必要に応じて、事後的に壁１０に取り付けることができる。また、取り付けも、嵌合部４と固定部材５によって、壁１０に装着された取り付け部材６に嵌合されるだけでよく、住人によっても容易に取り付けることができる。手すり固定具１が取り付けられれば、壁１０には、手すりを設置することができる。
【０１０６】
一方、手すり固定具１は、固定部材５を回転させて取り外すだけで、手すり固定具１が壁１０から簡単に取り外せる。手すりだけでは歩行が無理になって車椅子生活になった住人にとっては、手すりや手すり固定具１が廊下や室内から取り外されることで、車椅子走行における邪魔がなくなる。もちろん、手すり固定具１が取り外されたあとでは、凹み１１を塞ぐ蓋が取り付けられることで、壁１０の外観もすっきりする。
【０１０７】
このように、手すりの取り付けに大掛かりな工事も必要としないことで、歩行困難者や高齢者にとっては、手すりを使って歩行を頑張ろうとする意欲がわく。この結果、要介護者となりにくい。仮に車椅子生活となっても、取り外しがかのうであると思うことで、高齢者や歩行困難者は、手すりから車椅子へ変えようとする意識が低くなり、手すりの介助を受けながらも、自力での歩行を継続使用とする。この点でも、要介護者になりにくい。要介護者になりにくいことで、健康保険や介護保険の負担も減少するメリットがある。
【０１０８】
なお、実施の形態で説明された手すり固定具１は、本考案の趣旨を説明する一例であり、本考案の趣旨を逸脱しない範囲での変形や改造を含む。
【符号の説明】
【０１０９】
１    手すり固定部
２    受け部
３    支持部材
４    嵌合部
４１    凹部
４２    内部空間
５    固定部材
５１    凸部
６    取り付け部材
６１    凹部
６２    本体部
６３    通路
【図１】
0003175974.tif 000003
【図２】
0003175974.tif 000004
【図３】
0003175974.tif 000005
【図４】
0003175974.tif 000006
【図５】
0003175974.tif 000007
【図６】
0003175974.tif 000008